(57)【要約】【課題】前後方向に沿う寸法の調整が可能でありながらも、背板や棚板の組付性を向上し得る収納装置を提供する。【解決手段】収納装置１は、後側部位がそれぞれに切断可能とされた上下の横板１１，１２、左右の側板１３，１３及びこれら左右の側板に架け渡される棚板１９と、前記上下の横板及び前記左右の側板の後端部に固定される背板受部材１８と、この背板受部材に保持される背板１７と、を備えており、前記左右の側板は、前記棚板の前側部位を支持する前側棚受部１６，１６と該棚板の後側部位を支持する後側棚受部１６Ａ，１６Ａとを前後方向に間隔を空けて設けた構成とされ、かつ、非切断状態で、これら側板の前端面から前記前側棚受部までの前後方向に沿う寸法Ｄ２よりも後端面から前記後側棚受部までの前後方向に沿う寸法Ｄ３が大とされている。【選択図】図１
2017209387.tif 000002
【特許請求の範囲】
【請求項１】
後側部位がそれぞれに切断可能とされた上下の横板、左右の側板及びこれら左右の側板に架け渡される棚板と、前記上下の横板及び前記左右の側板の後端部に固定される背板受部材と、この背板受部材に保持される背板と、を備えており、
前記左右の側板は、前記棚板の前側部位を支持する前側棚受部と該棚板の後側部位を支持する後側棚受部とを前後方向に間隔を空けて設けた構成とされ、かつ、非切断状態で、これら側板の前端面から前記前側棚受部までの前後方向に沿う寸法よりも後端面から前記後側棚受部までの前後方向に沿う寸法が大とされていることを特徴とする収納装置。
【請求項２】
請求項１において、
前記左右の側板は、非切断状態で、前記左右の側板の前端面から前記後側棚受部までの前後方向に沿う寸法が後端面から前記後側棚受部までの前後方向に沿う寸法の１．５倍以上とされていることを特徴とする収納装置。
【請求項３】
請求項１または２において、
前記左右の側板及び前記背板は、上側部位及び下側部位の両方または一方が切断可能とされており、
前記上下の横板のうち、前記左右の側板の上側部位及び下側部位のうちの切断可能とされた側に対応する横板とこれら側板とを固定する固定部材を備えていることを特徴とする収納装置。
【請求項４】
請求項３において、
前記固定部材は、前後方向に長尺状とされ、かつ前記左右の側板の互いに向き合う内側面に固定される固定片部とこの固定片部から突出するように設けられた支持片部とを備えており、
前記上下の横板のうち、前記左右の側板の上側部位及び下側部位のうちの切断可能とされた側に対応する横板の左右両側端面には、前記固定部材の支持片部が差し込まれる差込溝が設けられていることを特徴とする収納装置。
【発明の詳細な説明】
【技術分野】
【０００１】
本発明は、収納装置に関する。
【背景技術】
【０００２】
従来より、前方に開口する箱体内に、収納空間を上下に区画するように架け渡される棚板を設けた収納装置が知られている。
例えば、下記特許文献１には、天板部、左右の側板部、底板部及び背板部を備え、左右の側板部の内面部に、棚板を載設可能なようにダボが装着されるダボ穴を設けた組立ボックスが開示されている。また、この組立ボックスは、天板部、左右の側板部及び底板部の内表面に形成された溝部に、背板部の四周縁を嵌合させて背板部を取り付ける構成とされている。
【先行技術文献】
【特許文献】
【０００３】
【特許文献１】特開２００３−１９９６４０号公報
【発明の概要】
【発明が解決しようとする課題】
【０００４】
しかしながら、上記特許文献１に記載された組立ボックスでは、当該組立ボックスの奥行寸法（前後方向に沿う寸法）を調整するために切断すれば、溝部やダボ穴が消失し易く、更なる改善が望まれる。
【０００５】
本発明は、上記実情に鑑みてなされたものであり、前後方向に沿う寸法の調整が可能でありながらも、背板や棚板の組付性を向上し得る収納装置を提供することを目的としている。
【課題を解決するための手段】
【０００６】
上記目的を達成するために、本発明に係る収納装置は、後側部位がそれぞれに切断可能とされた上下の横板、左右の側板及びこれら左右の側板に架け渡される棚板と、前記上下の横板及び前記左右の側板の後端部に固定される背板受部材と、この背板受部材に保持される背板と、を備えており、前記左右の側板は、前記棚板の前側部位を支持する前側棚受部と該棚板の後側部位を支持する後側棚受部とを前後方向に間隔を空けて設けた構成とされ、かつ、非切断状態で、これら側板の前端面から前記前側棚受部までの前後方向に沿う寸法よりも後端面から前記後側棚受部までの前後方向に沿う寸法が大とされていることを特徴とする。
【発明の効果】
【０００７】
本発明に係る収納装置は、上述のような構成としたことで、前後方向に沿う寸法の調整が可能でありながらも、背板や棚板の組付性を向上させることができる。
【図面の簡単な説明】
【０００８】
【図１】（ａ）、（ｂ）は、本発明の一実施形態に係る収納装置の一例を模式的に示す一部を省略した概略側面図である。
【図２】同収納装置の概略分解斜視図である。
【図３】（ａ）は、同収納装置の概略斜視図、（ｂ）は、同収納装置の一部破断概略側面図である。
【図４】（ａ）、（ｂ）は、本発明の他の実施形態に係る収納装置の一例を模式的に示す概略正面図である。
【図５】（ａ）は、同収納装置が備える側板の一例を模式的に示す概略斜視図、（ｂ）は、図４（ａ）のＸ部に対応させた一部を省略した一部破断概略分解正面図、（ｃ）は、（ｂ）に対応させた一部破断概略正面図である。
【発明を実施するための形態】
【０００９】
以下に本発明の実施の形態について、図面に基づいて説明する。
なお、一部の図では、他図に付している詳細な符号の一部を省略している。
また、図１では、一方の側板の図示を省略している。
また、以下の各実施形態では、設置された収納装置に開口側において対面した状態を基準として、手前側を前方、その逆側を後方とし、また、その状態を基準として、上下方向及び左右方向の方向を説明する。
【００１０】
図１〜図３は、第１実施形態に係る収納装置の一例を模式的に示す図である。
本実施形態に係る収納装置１は、図１及び図２に示すように、後側部位がそれぞれに切断可能とされた上下の横板１１，１２、左右の側板１３，１３及びこれら左右の側板１３，１３に架け渡される棚板１９を備えている。また、収納装置１は、上下の横板１１，１２及び左右の側板１３，１３の後端部に固定される背板受部材１８と、この背板受部材１８に保持される背板１７と、を備えている。また、収納装置１は、左右の側板１３，１３に、棚板１９の前側部位を支持する前側棚受部１６，１６と棚板１９の後側部位を支持する後側棚受部１６Ａ，１６Ａとを前後方向に間隔を空けて設けた構成とされている。
【００１１】
この収納装置１は、図１及び図３（ａ）に示すように、上下の横板１１，１２、左右の側板１３，１３及び背板１７によって区画され、一方向（前方）に開口する収納空間１０を設けた箱状とされている。図例では、この収納装置１の収納空間１０の前方開口を開放させた状態とした例を示しているが、前方開口を開閉する扉やこの扉を連結する蝶番、錠装置等を設けてもよい。
また、この収納装置１の上下方向に沿う寸法（高さ寸法）、左右方向に沿う寸法（間口寸法）、及び非切断状態における前後方向に沿う寸法（奥行寸法）は、当該収納装置１の設置箇所や被収納物、用途等に応じて適宜の寸法としてもよい。本実施形態では、収納装置１の上下方向に沿う寸法を比較的に小とし、図３（ｂ）では、複数の収納装置１（１Ａ）を上下に多段状に積み重ねて設置した例を示している。この収納装置１の非切断状態における各寸法は、例えば、上下方向に沿う寸法が３００ｍｍ〜９００ｍｍ程度、左右方向に沿う寸法が１５０ｍｍ〜６００ｍｍ程度、前後方向に沿う寸法が３００ｍｍ〜６００ｍｍ程度とされたものとしてもよい。
【００１２】
上下の横板１１，１２は、互いに同様の構成（同寸同形状）とされ、上側の横板１１が収納空間１０の上側を区画する天板を構成し、下側の横板１２が収納空間１０の下側を区画する底板を構成する。
本実施形態では、上下の横板１１，１２の左右両側端面（間口方向両側端面）を、左右の側板１３，１３の互いに向き合う内側面に当接させ、これら上下の横板１１，１２と左右の側板１３，１３とがいわゆる縦勝状に接合される構成としている。また、これら上下の横板１１，１２及び左右の側板１３，１３の各接合部位に、図２に示すように、接合補助部としてのダボ状突起１１ａ，１２ａ及びダボ状突起１１ａ，１２ａが差し込まれる係合凹部１３ａ，１３ｂを設けた構成としている。これら上下の横板１１，１２と左右の側板１３，１３とは、ダボ状突起１１ａ，１２ａを圧入するように係合凹部１３ａ，１３ｂに差し込んで接合される態様としてもよく、接着剤等を併用して接合される態様としてもよい。
【００１３】
また、上下の横板１１，１２の左右両側端面に、左右方向外方側に向けて突出するようにダボ状突起１１ａ，１１ａ，１２ａ，１２ａを設けた構成としている。また、これら上下の横板１１，１２の左右両側端面に、前後方向に間隔を空けて複数（図例では、５つ）のダボ状突起１１ａ，１１ａ，１２ａ，１２ａを設けた構成としている。
また、これら上下の横板１１，１２のダボ状突起１１ａ，１２ａを、前側部位よりも後側部位が疎らになるように設けた構成としている。図例では、各横板１１，１２の前側半部に３つのダボ状突起１１ａ，１２ａを設け、後側半部に２つのダボ状突起１１ａ，１２ａを設けた例を示している。
また、これら上下の横板１１，１２の切断可能部位となる後側部位の左右両側端面のそれぞれに、単一のダボ状突起１１ａ，１１ａ，１２ａ，１２ａを設けた構成としている。
【００１４】
左右の側板１３，１３は、収納空間１０の左右両側（収納間口方向両側）を区画する。これら左右の側板１３，１３の非切断状態における前後方向に沿う寸法は、非切断状態の上下の横板１１，１２の前後方向に沿う寸法と略同寸法とされている。
また、これら左右の側板１３，１３の各内側面の上下端部には、互いに向き合う方向に向けて開口するように係合凹部１３ａ，１３ｂが設けられている。一方の側板１３の係合凹部１３ａ，１３ｂと他方の側板１３の係合凹部１３ａ，１３ｂとは、左右方向に沿う方向（これらの板厚方向）に見て、互いに重なり合う位置となるように設けられている。また、これら係合凹部１３ａ，１３ｂは、上記した上下の横板１１，１２のダボ状突起１１ａ，１２ａに応じた位置となるように設けられている。
【００１５】
つまり、これら左右の側板１３，１３の各内側面の上端部のそれぞれに、前後方向に間隔を空けて複数（図例では、５つ）の係合凹部１３ａ，１３ａを設けた構成としている。また、これら左右の側板１３，１３の各内側面の下端部のそれぞれに、前後方向に間隔を空けて複数（図例では、５つ）の係合凹部１３ｂ，１３ｂを設けた構成としている。また、これら左右の側板１３，１３の切断可能部位となる後側部位の各内側面の上下端部のそれぞれに、単一のダボ状突起１３ａ，１３ａ，１３ｂ，１３ｂを設けた構成としている。
なお、左右の側板１３，１３と上下の横板１１，１２とを接合する態様としては、このような態様に限られず、上下の横板１１，１２及び左右の側板１３，１３の両方に係合凹部を設け、これらの係合凹部に差し込まれるダボ状部材によって接合する態様としてもよい。これら左右の側板１３，１３と上下の横板１１，１２との接合態様としては、その他、種々の変形が可能である。
【００１６】
また、これら左右の側板１３，１３の互いに向き合う内側面に、前側棚受部１６，１６と後側棚受部１６Ａ，１６Ａとを前後方向に間隔を空けて設けた構成としている。これら前後の棚受部１６，１６，１６Ａ，１６Ａは、これらによって支持される棚板１９が水平状（板厚方向を上下方向に沿わせた状態）に支持されるように互いに同高さに位置するように設けられている。また、一方の側板１３の前後の棚受部１６，１６Ａと他方の側板１３の前後の棚受部１６，１６Ａとは、左右方向に沿う方向（これらの板厚方向）に見て、互いに重なり合う位置となるように設けられている。
【００１７】
また、左右の側板１３，１３は、非切断状態で、これら側板１３，１３の前端面から前側棚受部１６，１６までの前後方向に沿う寸法Ｄ２よりも後端面から後側棚受部１６Ａ，１６Ａまでの前後方向に沿う寸法Ｄ３が大とされている。また、本実施形態では、左右の側板１３，１３は、非切断状態で、左右の側板１３，１３の前端面から後側棚受部１６Ａ，１６Ａまでの前後方向に沿う寸法Ｄ４が後端面から後側棚受部１６Ａ，１６Ａまでの前後方向に沿う寸法Ｄ３の１．５倍以上とされている。これら前後方向に沿う各寸法Ｄ２，Ｄ３，Ｄ４は、側板１３，１３の前端面または後端面から各棚受部１６，１６，１６Ａ，１６Ａの前後方向中心までの前後方向に沿う寸法として把握するようにしてもよい。
【００１８】
側板１３，１３の前端面から前側棚受部１６，１６までの前後方向に沿う寸法Ｄ２は、棚板１９の前側部位を安定的に支持する観点等から適宜の寸法としてもよい。また、非切断状態における側板１３，１３の後端面から後側棚受部１６Ａ，１６Ａまでの前後方向に沿う寸法Ｄ３は、棚板１９の後側部位を安定的に支持する観点や、後側棚受部１６Ａ，１６Ａよりも後端側に切断可能部位を確保する観点等から適宜の寸法としてもよい。この非切断状態における側板１３，１３の後端面から後側棚受部１６Ａ，１６Ａまでの前後方向に沿う寸法Ｄ３を、小さくし過ぎれば、後側棚受部１６Ａ，１６Ａよりも後端側の切断可能部位の前後方向に沿う寸法が小さくなる傾向がある。一方、この非切断状態における側板１３，１３の後端面から後側棚受部１６Ａ，１６Ａまでの前後方向に沿う寸法Ｄ３を、大きくし過ぎれば、非切断状態において、棚板１９の後端側部位を安定的に支持し難くなる傾向がある。このような観点等から、非切断状態における側板１３，１３の後端面から後側棚受部１６Ａ，１６Ａまでの前後方向に沿う寸法Ｄ３を、例えば、７０ｍｍ〜３００ｍｍ程度としてもよく、好ましくは、１００ｍ〜２００ｍｍ程度としてもよい。
【００１９】
また、側板１３，１３の前端面から後側棚受部１６Ａ，１６Ａまでの前後方向に沿う寸法Ｄ４を、後端面から後側棚受部１６Ａ，１６Ａまでの前後方向に沿う寸法Ｄ３に対して大きくし過ぎれば、切断可能部位の割合が小さくなる傾向がある。一方、側板１３，１３の前端面から後側棚受部１６Ａ，１６Ａまでの前後方向に沿う寸法Ｄ４を、後端面から後側棚受部１６Ａ，１６Ａまでの前後方向に沿う寸法Ｄ３に対して小さくし過ぎれば、上記同様、非切断状態において、棚板１９の後端側部位を安定的に支持し難くなる傾向がある。このような観点等から、例えば、前端面から後側棚受部１６Ａ，１６Ａまでの前後方向に沿う寸法Ｄ４を、非切断状態における側板１３，１３の後端面から後側棚受部１６Ａ，１６Ａまでの前後方向に沿う寸法Ｄ３の１．５倍〜３．０倍程度としてもよい。
【００２０】
また、これら前後の棚受部１６，１６，１６Ａ，１６Ａは、互いに向き合う方向に突出するように設けられている。また、本実施形態では、これら前後の棚受部１６，１６，１６Ａ，１６Ａを、左右の側板１３，１３の内側面において開口するように設けられた前側係合穴１４，１４及び後側係合穴１５，１５のそれぞれに差し込まれて保持される構成としている。つまり、これら前後の棚受部１６，１６，１６Ａ，１６Ａを、左右の側板１３，１３とは別体的に設けた構成としている。
また、左右の側板１３，１３に、棚板１９の高さ位置の変更が可能なように、上下方向に間隔を空けて複数の前側係合穴１４，１４及び後側係合穴１５，１５を設けた構成としている。図例では、これら前後の係合穴１４，１４，１５，１５を、上下方向に等間隔を空けて設けた例を示している。これら前後の係合穴１４，１４，１５，１５の個数やピッチは、棚板１９の高さ位置の所望する調整度合い等に応じて、適宜、設定するようにしてもよい。
【００２１】
棚板１９は、前後の棚受部１６，１６，１６Ａ，１６Ａを、これら上下に複数の前後の係合穴１４，１４，１５，１５のうちのいずれかに選択的に取り付けることで高さ位置変更可能に、かつ左右の側板１３，１３に対して着脱自在に架け渡される。
なお、前後の棚受部１６，１６，１６Ａ，１６Ａとしては、前後の係合穴１４，１４，１５，１５に差し込まれる差込部と、棚板１９を支持する支持部と、を有した構成とされたものでもよい。図例では、棚板１９の左右方向両端部に、左右方向外方側及び下方側に向けて開口するように受凹所１９ａ，１９ａ，１９ａ，１９ａを設けた構成としている。また、前後の棚受部１６，１６，１６Ａ，１６Ａを、これら受凹所１９ａ，１９ａ，１９ａ，１９ａに係合する突起状の支持部を有したものとしている。前後の棚受部１６，１６，１６Ａ，１６Ａとしては、このような構成とされたものに限られず、その他、種々の変形が可能である。
【００２２】
また、棚板１９は、収納空間１０を上下に区画するように配される構成とされている。なお、図例では、単一の棚板１９を設けた例を示しているが、複数の棚板１９を設けるようにしてもよい。
この棚板１９の左右方向に沿う寸法は、収納空間１０の左右方向に沿う寸法、つまり、左右の側板１３，１３間の寸法に応じた寸法とされている。
また、非切断状態における棚板１９の前後方向に沿う寸法は、非切断状態における上下の横板１１，１２及び左右の側板１３，１３によって区画される収納空間１０の前後方向に沿う寸法に応じた寸法とされている。図例では、棚板１９を、その前端面が上下の横板１１，１２及び左右の側板１３，１３の前端面と略同一平面状となるように、かつ後端面が背板受部材１８に当接または近接するように配される構成とした例を示している。なお、このように、棚板１９の後端面と背板１７との間に隙間が形成される構成とした態様に代えて、棚板１９の後端部の両端部に背板受部材１８に応じた切欠状の凹所を設けた構成としてもよい。つまり、棚板１９を、その後端面が背板１７の前面に当接または近接するように配される構成としてもよい。
【００２３】
上記した前後の棚受部１６，１６，１６Ａ，１６Ａに係合する被係合部としての受凹所１９ａ，１９ａ，１９ａ，１９ａは、前後の棚受部１６，１６，１６Ａ，１６Ａに応じた位置となるように、棚板１９の左右方向両端部に前後方向に間隔を空けて設けられている。
この棚板１９の後側部位の受凹所１９ａ，１９ａは、上記と概ね同様、これら受凹所１９ａ，１９ａよりも後端側に切断可能部位が形成されるように設けられている。
なお、上記した上下の横板１１，１２、左右の側板１３，１３及び棚板１９は、少なくとも後側部位が容易に切断可能な、例えば、木質系材料や合成樹脂系材料等から形成されたものとしてもよい。
また、棚板１９の高さ位置の変更を不能とした態様としてもよい。この場合は、前後の係合穴１４，１４，１５，１５を、上下に複数設けないようにしてもよい。また、この場合は、前後の棚受部１６，１６，１６Ａ，１６Ａが側板１３，１３の内側面に固定的にまたは一体的に設けられたもの等としてもよい。
【００２４】
背板１７は、収納空間１０の後方側（奥側）を区画する。図例では、この背板１７の厚さ寸法を、互いに同厚さとされた上記した上下の横板１１，１２、左右の側板１３，１３及び棚板１９の厚さ寸法よりも小とした例を示している。
背板受部材１８は、本実施形態では、上下の横板１１，１２及び左右の側板１３，１３の各内側面（収納空間１０の内周面）に沿うように、全周に亘って取り付けられる構成とされ、背板１７の四周端部１７ａ，１７ａ，１７ａ，１７ａを保持する構成とされている。また、上下の横板１１，１２及び左右の側板１３，１３のそれぞれに取り付けられる４本の背板受部材１８，１８，１８，１８を設けた構成としている。これら背板受部材１８，１８，１８，１８は、非切断状態及び切断された状態の上下の横板１１，１２及び左右の側板１３，１３の各内側面に固定可能とされている。また、これら背板受部材１８，１８，１８，１８は、上下の横板１１，１２及び左右の側板１３，１３の各内側面に、ダボ穴や溝加工等の特殊加工を施すことなく容易に固定可能とされている。
【００２５】
また、これら背板受部材１８，１８，１８，１８には、背板１７の四周端部１７ａ，１７ａ，１７ａ，１７ａが嵌め入れられる背板受部としての凹溝１８ａ，１８ａ，１８ａ，１８ａが設けられている。
凹溝１８ａ，１８ａ，１８ａ，１８ａは、溝幅寸法が背板１７の厚さ寸法に応じた寸法とされ、各背板受部材１８，１８，１８，１８の全長に亘って設けられている。
また、各背板受部材１８，１８，１８，１８は、それぞれの凹溝１８ａ，１８ａ，１８ａ，１８ａが前後方向で一致した位置となり、互いに連通するように、上下の横板１１，１２及び左右の側板１３，１３に取り付けられる。図例では、これら背板受部材１８，１８，１８，１８を、略四角柱状とし、長手方向に見て互いに同寸同形状とされたものとしている。また、これら背板受部材１８，１８，１８，１８を、それぞれの後方側に向く面が取付対象（上下の横板１１，１２及び左右の側板１３，１３）の後端面と略同一平面状となるように取り付けた例を示している。
【００２６】
なお、これら背板受部材１８，１８，１８，１８は、取付対象（上下の横板１１，１２及び左右の側板１３，１３）に対してねじや釘等の止具や接着剤等によって取り付けられるものでもよい。
また、背板受部材１８としては、上記のような凹溝１８ａを設けた態様に限られず、背板１７の厚さ方向一方面に当接される当接片部が設けられた態様等としてもよい。この場合は、止具や接着剤等によって背板１７が固定されるものでもよい。また、上下の横板１１，１２及び左右の側板１３，１３の内側面に沿うように全周に亘って設けられるものに限られず、上下の横板１１，１２及び左右の側板１３，１３のそれぞれの周方向の一部に設けられるものとしてもよい。この場合は、背板１７にこれらを受け入れる切欠状の凹所を設けたような態様等としてもよい。また、上下の横板１１，１２及び左右の側板１３，１３の内側面に固定されるものに限られず、上下の横板１１，１２及び左右の側板１３，１３の後端面に固定されるものとしてもよい。背板受部材１８としては、その他、種々の変形が可能である。
【００２７】
上記構成とされた収納装置１を組み付ける際には、以下のようにしてもよい。
前後方向に沿う寸法Ｄ１の調整が不要な場合には、非切断状態の上下の横板１１，１２及び左右の側板１３，１３の後端部の内側面に各背板受部材１８，１８，１８，１８を取り付け、上下の横板１１，１２、左右の側板１３，１３及び背板１７を組み付ける。また、非切断状態の棚板１９を、左右の側板１３，１３に設けた前後の棚受部１６，１６，１６Ａ，１６Ａに支持させて組み付け、前後方向に沿う寸法Ｄ１が最大とされた非切断状態の収納装置１を組み付けるようにしてもよい（図１（ａ）、図２及び図３参照）。
【００２８】
一方、前後方向に沿う寸法の調整が必要な場合には、以下のようにしてもよい。
まず、寸法調整後に収納装置１Ａが所望する前後方向に沿う寸法Ｄ５（図１（ｂ）及び図３（ｂ）参照）となるように、上下の横板１１，１２、左右の側板１３，１３及び棚板１９の後側部位を切断する。そして、上記と概ね同様、切断後の上下の横板１１，１２及び左右の側板１３，１３の後端部の内側面に各背板受部材１８，１８，１８，１８を取り付け、上下の横板１１，１２、左右の側板１３，１３及び背板１７を組み付ける。また、切断後の棚板１９を、左右の側板１３，１３に設けた前後の棚受部１６，１６，１６Ａ，１６Ａに支持させて組み付け、前後方向に沿う寸法Ｄ５が調整された収納装置１Ａを組み付けるようにしてもよい（図１（ｂ）及び図３（ｂ）参照）。
【００２９】
このような前後方向に沿う寸法Ｄ５の調整は、例えば、図３（ｂ）に示すように、複数の収納装置１を前面が同一平面状となるように多段状に積み重ねて設置する際に、壁面２と天井３との入隅部に梁等の構造躯体等による突出部４がある場合に行うようにしてもよい。図例では、床側に非切断状態の複数の収納装置１を壁面２に当接させるように壁付状に設置し、寸法調整後の収納装置１Ａを突出部４に当接させるようにかつ天井に近接させて最上段に設置した例を示している。なお、前後方向に沿う寸法Ｄ５の調整は、このような例に限られず、例えば、複数の収納装置１を前面が同一平面状となるように横並状に設置する際に、柱等の突出部がある場合や、上記と略同様、多段状に積み重ねて設置する際に、床側に突出部がある場合等になされるものとしてもよい。当該収納装置１（１Ａ）の設置態様としては、その他、種々の設置態様とされるものでもよい。
【００３０】
本実施形態に係る収納装置１は、上述のような構成としたことで、前後方向に沿う寸法Ｄ１（Ｄ５）の調整が可能でありながらも、背板１７や棚板１９の組付性を向上させることができる。
つまり、上下の横板１１，１２、左右の側板１３，１３及びこれら左右の側板１３，１３に架け渡される棚板１９を、後側部位が切断可能とされたものとしている。従って、これら上下の横板１１，１２、左右の側板１３，１３及び棚板１９の後側部位を切断することで、収納装置１の前後方向に沿う寸法Ｄ１（Ｄ５）を調整することができる。これにより、上述のように、例えば、複数の収納装置１，１Ａを隣接させて壁付状に設置する場合に、壁面２側の一部に突出部４があるような場合にも、寸法調整後の収納装置１Ａを組み合わせることで、各収納装置１，１Ａの前面側を揃えることができる。
【００３１】
また、上下の横板１１，１２及び左右の側板１３，１３の後端部に固定される背板受部材１８を備えた構成としている。従って、これら上下の横板１１，１２及び左右の側板１３，１３の後側部位が切断された場合にも、背板受部となる凹溝１８ａが消失するようなことがなく、これら上下の横板１１，１２及び左右の側板１３，１３の後端部に固定された背板受部材１８によって背板１７を保持させることができる。これにより、例えば、上下の横板１１，１２及び左右の側板１３，１３の後側部位を切断した後に背板１７を受け入れる溝等を加工する必要があるようなものと比べて、背板１７の組付性を向上させることができる。
また、本実施形態では、背板受部材１８を、背板１７の四周端部が嵌め入れられる凹溝１８ａが設けられ、上下の横板１１，１２及び左右の側板１３，１３の内側面に沿うように全周に亘って設けられるものとしている。従って、背板１７の四周端部を全周に亘って背板受部材１８によって保持することができる。
【００３２】
また、左右の側板１３，１３を、非切断状態で、これら側板１３，１３の前端面から前側棚受部１６，１６までの前後方向に沿う寸法Ｄ２よりも後端面から後側棚受部１６Ａ，１６Ａまでの前後方向に沿う寸法Ｄ３が大となるように構成している。従って、これら左右の側板１３，１３の後側部位を切断した場合にも、後側棚受部１６Ａ，１６Ａ（本実施形態では、後側棚受部１６Ａ，１６Ａが取り付けられる後側係合穴１５，１５）が消失し難くなる。これにより、前後の棚受部１６，１６，１６Ａ，１６Ａによって棚板１９を安定的に支持させることができる。また、例えば、側板１３，１３の後側部位を切断した後に、ダボ穴等を加工する必要があるようなものと比べて、棚板１９の組付性を向上させることができる。また、例えば、後側部位が切断された場合にも前後に複数の棚受部によって棚板１９の支持が可能となるように、前後方向に間隔を空けて多数の棚受部を左右の側板に設けることも考えられるが、このようなものと比べて、構造の簡略化を図ることができる。
【００３３】
また、本実施形態では、左右の側板１３，１３を、非切断状態で、前端面から後側棚受部１６Ａ，１６Ａまでの前後方向に沿う寸法Ｄ４が後端面から後側棚受部１６Ａ，１６Ａまでの前後方向に沿う寸法Ｄ３の１．５倍以上とされたものとしている。従って、非切断状態においても、後側棚受部１６Ａ，１６Ａが棚板１９の比較的に後方側に位置することとなり、後側部位を切断可能としながらも、棚板１９を安定的に支持することができる。つまり、後側部位の切断可能寸法を大きくすべく、非切断状態において後側棚受部１６Ａ，１６Ａが左右の側板１３，１３の前後方向中央部等に位置するように設けることも考えられるが、このようなものと比べて、前後の棚受部１６，１６，１６Ａ，１６Ａによって棚板１９を安定的に支持することができる。
【００３４】
次に、本発明の他の実施形態に係る収納装置について、図面を参照しながら説明する。
図４及び図５は、第２実施形態に係る収納装置の一例を模式的に示す図である。
なお、上記第１実施形態との相違点について主に説明し、同様の構成については、同一の符号を付し、その説明を省略または簡略に説明する。
【００３５】
本実施形態に係る収納装置１Ｂは、左右の側板１３Ａ，１３Ａ及び背板１７の上側部位及び下側部位の両方または一方が切断可能とされている。また、収納装置１Ｂは、上下の横板１１Ａ，１２Ａのうち、左右の側板１３Ａ，１３Ａの上側部位及び下側部位のうちの切断可能とされた側に対応する横板１１Ａ，１２Ａとこれら側板１３Ａ，１３Ａとを固定する固定部材２０，２０を備えている。つまり、本実施形態では、当該収納装置１Ｂは、図４（ａ）、（ｂ）に示すように、前後方向に沿う寸法Ｄ１（Ｄ５）調整に加えて、上下方向に沿う寸法Ｈ１（Ｈ２）の調整が可能とされている。
また、本実施形態では、固定部材２０，２０を、前後方向に長尺状とし、かつ左右の側板１３Ａ，１３Ａの互いに向き合う内側面に固定される固定片部２１，２１とこの固定片部２１，２１から突出するように設けられた支持片部２２，２２とを備えた構成としている。また、上下の横板１１Ａ，１２Ａのうち、左右の側板１３Ａ，１３Ａの上側部位及び下側部位のうちの切断可能とされた側に対応する横板１１Ａ，１２Ａの左右両側端面に、固定部材２０，２０の支持片部２２，２２が差し込まれる差込溝１１Ａａ，１２Ａａを設けた構成としている。また、上下の横板１１Ａ，１２Ａの差込溝１１Ａａ，１２Ａａの開口側部位に、固定部材２０，２０の固定片部２１，２１を受け入れる受入凹所１１Ａｂ，１２Ａｂを設けた構成としている。
【００３６】
また、本実施形態では、左右の側板１３Ａ，１３Ａ及び背板１７の上側部位及び下側部位の両方を、切断可能としている。つまり、左右の側板１３Ａ，１３Ａの上下端部と上下の横板１１Ａ，１２Ａとを固定する固定部材２０，２０，２０，２０を備えた構成としている。
これら固定部材２０，２０，２０，２０は、非切断状態及び切断された状態の左右の側板１３Ａ，１３Ａの上下端部の各内側面に固定可能とされている。また、これら固定部材２０，２０，２０，２０は、左右の側板１３Ａ，１３Ａの上下端部の各内側面に、ダボ穴加工等の特殊加工を施すことなく容易に固定可能とされている。
また、これら固定部材２０，２０，２０，２０は、互いに同様の構成（同寸同形状）とされており、全長に亘って一様な断面形状とされている（図５（ａ）参照）。図例では、これら固定部材２０，２０，２０，２０を、長さ寸法が側板１３Ａ，１３Ａの前後方向に沿う寸法よりも小とされたものとし、それぞれの前端が側板１３Ａ，１３Ａの前端面に一致する位置となるように固定した例を示している。
【００３７】
各固定部材２０の固定片部２１は、側板１３Ａの厚さ方向に厚さ方向を沿わせて側板１３Ａの内側面に固定される薄板状とされている。各固定片部２１の上下方向に沿う寸法（幅寸法）は、上下の横板１１Ａ，１２Ａの厚さ寸法よりも小とされている（図５（ｃ）参照）。図例では、各固定片部２１の上下方向に沿う寸法を、上下の横板１１Ａ，１２Ａの厚さ寸法の１／２程度の寸法とした例を示している。各固定片部２１は、ねじや釘等の止具によって側板１３Ａの内側面に固定されるものとしてもよい。この場合、各固定片部２１に、止具が挿通される止具挿通孔や、止具止着箇所の目印等を設けるようにしてもよい。
各固定部材２０の支持片部２２は、上下の横板１１Ａ，１２Ａの厚さ方向に厚さ方向を沿わせて上下の横板１１Ａ，１２Ａの差込溝１１Ａａ，１２Ａａに差し込まれる薄板状とされている。また、各支持片部２２は、各固定片部２１の上下方向一端部から左右方向に突出するように設けられている。つまり、各固定部材２０は、長手方向に見て、略Ｌ字状とされている。
【００３８】
各支持片部２２の左右方向に沿う寸法（幅寸法）は、上下の横板１１Ａ，１２Ａの差込溝１１Ａａ，１２Ａａに差し込まれて上下の横板１１Ａ，１２Ａの支持が可能なように適宜の寸法としてもよい。図例では、各支持片部２２の左右方向に沿う寸法（幅寸法）を、各固定片部２１の上下方向に沿う寸法（幅寸法）よりも大とした例を示している。
また、本実施形態では、各支持片部２２に、上下の横板１１Ａ，１２Ａの差込溝１１Ａａ，１２Ａａの内面に食い込むように係止する係止部２２ａを設けた構成としている（図５（ｂ）、（ｃ）参照）。また、各支持片部２２の厚さ方向両側に、差込溝１１Ａａ，１２Ａａの溝幅方向両側の各内面に食い込むように係止する係止部２２ａ，２２ａを設けた構成としている。また、これら厚さ方向両側の係止部２２ａ，２２ａを、各支持片部２２の厚さ方向に突出するように、かつ各支持片部２２の全長に亘って延びるように設けられた係止突条としている。また、各支持片部２２の厚さ方向両側に、左右方向に等間隔を空けて複数の係止部２２ａ，２２ａを設けた構成としている。
【００３９】
なお、上下の横板１１Ａ，１２Ａの差込溝１１Ａａ，１２Ａａの内面に食い込むように係止する係止部２２ａとしては、このような態様に限られず、その他、種々の変形が可能である。
また、各固定部材２０は、側板１３Ａの前後方向に沿う寸法に応じた長さ寸法となるように切断可能な構成とされたものとしてもよい。
また、側板１３Ａの上下端部の内側面のそれぞれに単一の固定部材２０が固定される態様に限られず、前後方向に間隔を空けて複数の固定部材２０が固定される態様としてもよい。
また、図例では、側板１３Ａの上端部に、支持片部２２が上側に位置するように固定部材２０を固定し、側板１３Ａの下端部に、支持片部２２が下側に位置するように固定部材２０を固定した例を示しているが、このような固定態様に限られない。
【００４０】
上下の横板１１Ａ，１２Ａの左右両側端面には、左右方向外方側に向けて開口するように差込溝１１Ａａ，１１Ａａ，１２Ａａ，１２Ａａが設けられている。これら差込溝１１Ａａ，１１Ａａ，１２Ａａ，１２Ａａは、上下の横板１１Ａ，１２Ａの前後方向の全体に亘って設けられている。また、これら差込溝１１Ａａ，１１Ａａ，１２Ａａ，１２Ａａの溝深さ寸法（左右方向に沿う寸法）は、各支持片部２２の差し込みが可能なように、各支持片部２２の左右方向に沿う寸法（幅寸法）よりも大とされている。また、これら差込溝１１Ａａ，１１Ａａ，１２Ａａ，１２Ａａの溝幅寸法（上下方向に沿う寸法）は、各支持片部２２の厚さ方向両側の係止部２２ａ，２２ａが溝幅方向両側の各内面に食い込むように係止可能なように、各支持片部２２の厚さ寸法よりも小とされている。
【００４１】
また、上下の横板１１Ａ，１２Ａの左右両側端面の差込溝１１Ａａ，１１Ａａ，１２Ａａ，１２Ａａの開口側部位には、受入凹所１１Ａｂ，１１Ａｂ，１２Ａｂ，１２Ａｂが設けられている。これら受入凹所１１Ａｂ，１１Ａｂ，１２Ａｂ，１２Ａｂは、上下の横板１１Ａ，１２Ａの前後方向の全体に亘って設けられている。また、これら受入凹所１１Ａｂ，１１Ａｂ，１２Ａｂ，１２Ａｂは、差込溝１１Ａａ，１１Ａａ，１２Ａａ，１２Ａａの開口側部位の溝幅を広げるように設けられている。また、これら受入凹所１１Ａｂ，１１Ａｂ，１２Ａｂ，１２Ａｂは、上記した上下の固定部材２０，２０の固定態様に対応させて設けられている。つまり、上側の横板１１Ａの差込溝１１Ａａを、上側の横板１１Ａの厚さ方向で上側に寄った位置となるように設け、この差込溝１１Ａａの開口側部位を下方側に広げるように受入凹所１１Ａｂを設けた構成としている。また、下側の横板１２Ａの差込溝１２Ａａを、下側の横板１２Ａの厚さ方向で下側に寄った位置となるように設け、この差込溝１２Ａａの開口側部位を上方側に広げるように受入凹所１２Ａｂを設けた構成としている（図４（ａ）、（ｂ）参照）。
【００４２】
これら受入凹所１１Ａｂ，１１Ａｂ，１２Ａｂ，１２Ａｂの幅寸法（上下向に沿う寸法）及び深さ寸法（左右方向に沿う寸法）は、各固定片部２１の受け入れが可能なように、各固定片部２１の上下方向に沿う寸法（幅寸法）及び厚さ寸法に応じた寸法とされている。
なお、本実施形態のように、各差込溝１１Ａａ，１２Ａａ及び受入凹所１１Ａｂ，１２Ａｂを各横板１１Ａ，１２Ａの前後方向の全体に亘って設けた場合には、各横板１１Ａ，１２Ａの前後端面を適宜のエッジシート等によって覆うような態様としてもよい。また、このような態様に代えて、各差込溝１１Ａａ，１２Ａａ及び受入凹所１１Ａｂ，１２Ａｂを各横板１１Ａ，１２Ａの前後方向の途中部位のみに設けたような態様等としてもよい。
また、左右の側板１３Ａ，１３Ａ及び背板１７は、少なくとも上側部位及び下側部位の両方または一方（本実施形態では両方）が、上記同様、容易に切断可能な材料から形成されたものとしてもよい。
また、本実施形態では、背板１７の四周端部を保持する背板受部材１８，１８，１８，１８のうち、少なくとも側板１３Ａ，１３Ａに固定される背板受部材１８，１８を、上下方向に沿う寸法の調整が可能なように切断可能とされたものとしてもよい。
【００４３】
上記構成とされた収納装置１Ｂを組み付ける際には、以下のようにしてもよい。
なお、上記した第１実施形態と同様の手順については説明を省略または簡略に説明する。また、以下の各例においても、上記第１実施形態と同様にして収納装置１Ｂの前後方向に沿う寸法Ｄ１（Ｄ５）の調整は可能である。また、以下の各例における非切断及び切断は、上下方向の非切断及び切断を指している。
上下方向に沿う寸法Ｈ１の調整が不要な場合には、上下の横板１１Ａ，１２Ａ及び非切断状態の左右の側板１３Ａ，１３Ａの後端部の内側面に各背板受部材１８を取り付け、また、左右の側板１３Ａ，１３Ａの上下端部の内側面に各固定部材２０を取り付ける。そして、これら上下の横板１１Ａ，１２Ａ、左右の側板１３Ａ，１３Ａ及び非切断状態の背板１７を組み付け、また、上記同様にして棚板１９を組み付け、上下方向に沿う寸法Ｈ１が最大とされた非切断状態の収納装置１Ｂを組み付けるようにしてもよい（図４（ａ）参照）。
【００４４】
一方、上下方向に沿う寸法の調整が必要な場合には、以下のようにしてもよい。
まず、寸法調整後に収納装置１Ｃが所望する上下方向に沿う寸法Ｈ２となるように、左右の側板１１Ａ，１２Ａ及び背板１７並びに側板１１Ａ，１２Ａに固定される背板受部材１８，１８の上側部位及び下側部位の両方または一方を切断する。そして、上記と概ね同様、上下の横板１１Ａ，１２Ａ及び切断後の左右の側板１３Ａ，１３Ａの後端部の内側面に各背板受部材１８を取り付け、また、左右の側板１３Ａ，１３Ａの上下端部の内側面に各固定部材２０を取り付ける。そして、これら上下の横板１１Ａ，１２Ａ、左右の側板１３Ａ，１３Ａ及び切断後の背板１７を組み付け、また、上記同様にして棚板１９を組み付け、上下方向に沿う寸法Ｈ２が調整された収納装置１Ｃを組み付けるようにしてもよい（図４（ｂ）参照）。
【００４５】
本実施形態に係る収納装置１Ｂにおいても、上記第１実施形態と概ね同様の効果を奏する。また、本実施形態では、左右の側板１３Ａ，１３Ａ及び背板１７を、上側部位及び下側部位の両方または一方が切断可能とされたものとしている。従って、これら左右の側板１３Ａ，１３Ａ及び背板１７の上側部位及び下側部位の両方または一方を切断することで、収納装置１Ｂの上下方向に沿う寸法Ｈ１（Ｈ２）を調整することができる。これにより、例えば、複数の収納装置１Ｂを上下に積み重ねるように設置する場合に、いずれかの収納装置１Ｂ（１Ｃ）の上下寸法を調整することで、最上段の収納装置１Ｂを天井３（図３（ｂ）参照）に近接させて設置するようなこともできる。
また、左右の側板１３Ａ，１３Ａの上側部位及び下側部位のうちの切断可能とされた側に対応する横板１１Ａ，１２Ａとこれら側板１３Ａ，１３Ａとを固定する固定部材２０，２０を備えた構成としている。従って、左右の側板１３Ａ，１３Ａが切断された場合にも、横板１１Ａ，１２Ａと左右の側板１３Ａ，１３Ａとを接合するダボやダボ穴が消失するようなことがなく、横板１１Ａ，１２Ａとこれら側板１３Ａ，１３Ａとを固定部材２０，２０を用いて固定することができる。これにより、例えば、左右の側板１３Ａ，１３Ａの上側部位及び下側部位の両方または一方を切断した後に、横板１１Ａ，１２Ａと左右の側板１３Ａ，１３Ａとを接合するダボやダボ穴等を加工する必要があるようなものと比べて、これらの組付性を向上させることができる。
【００４６】
また、本実施形態では、固定部材２０，２０を、前後方向に長尺状とし、かつ左右の側板１３Ａ，１３Ａの内側面に固定される固定片部２１，２１と固定片部２１，２１から突出するように設けられた支持片部２２，２２とを備えた構成としている。また、左右の側板１３Ａ，１３Ａの上側部位及び下側部位のうちの切断可能とされた側に対応する横板１１Ａ，１２Ａの左右両側端面に、固定部材２０，２０の支持片部２２，２２が差し込まれる差込溝１１Ａａ，１２Ａａを設けた構成としている。従って、左右の側板１３Ａ，１３Ａの上側部位及び下側部位の両方または一方に、固定部材２０，２０の固定片部２１，２１を固定することができる。また、固定部材２０，２０の支持片部２２，２２を、横板１１Ａ，１２Ａの左右両側端面に設けられた差込溝１１Ａａ，１２Ａａに差し込んで左右の側板１３Ａ，１３Ａと横板１１Ａ，１２Ａとを接合することができる。
【００４７】
また、本実施形態では、固定部材２０，２０の支持片部２２，２２に、差込溝１１Ａａ，１２Ａａの内面に食い込むように係止する係止部２２ａ，２２ａを設けた構成としている。従って、固定部材２０，２０の支持片部２２，２２を横板１１Ａ，１２Ａの差込溝１１Ａａ，１２Ａａから抜け難くすることができる。なお、支持片部２２，２２に、このような係止部２２ａ，２２ａを設けないようにしてもよい。
また、本実施形態では、左右の側板１３Ａ，１３Ａの上側部位及び下側部位のうちの切断可能とされた側に対応する横板１１Ａ，１２Ａの左右両側端面に、固定部材２０，２０の固定片部２１，２１を受け入れる受入凹所１１Ａｂ，１２Ａｂを設けた構成としている。従って、左右の側板１３Ａ，１３Ａの内側面と横板１１Ａ，１２Ａの両側端面とを当接または近接させることができ、これらの間の隙間を生じ難くすることができる。なお、横板１１Ａ，１２Ａの左右両側端面に、このような受入凹所１１Ａｂ，１２Ａｂを設けないようにしてもよい。
【００４８】
なお、側板１３Ａ，１３Ａと横板１１Ａ，１２Ａとを固定する固定部材２０としては、上記のような態様とされたものに限られず、種々の変形が可能である。
また、本実施形態では、左右の側板１３Ａ，１３Ａ及び背板１７の上側部位及び下側部位の両方を切断可能とし、各側板１３Ａ，１３Ａの上下端部のそれぞれに固定部材２０，２０を設けた例を示しているが、このような態様に限られない。例えば、各側板１３Ａ，１３Ａ及び背板１７の上側部位及び下側部位の一方を切断可能とし、各側板１３Ａ，１３Ａの上側部位及び下側部位の一方に、固定部材２０，２０が固定されるものとしてもよい。この場合は、各側板１３Ａ，１３Ａの上側部位及び下側部位の他方とこれに対応する他方の横板１１Ａ，１２Ａとの各接合部位に、上記第１実施形態と同様な接合補助部を設けた構成等としてもよい。
【符号の説明】
【００４９】
１，１Ａ〜１Ｃ  収納装置
１１，１１Ａ    上側の横板
１１Ａａ        差込溝
１２，１２Ａ    下側の横板
１２Ａａ        差込溝
１３，１３Ａ    側板
１６            前側棚受部
１６Ａ          後側棚受部
１７            背板
１８            背板受部材
１９            棚板
２０            固定部材
２１            固定片部
２２            支持片部
Ｄ２            側板の前端面から前側棚受部までの前後方向に沿う寸法
Ｄ３            側板の後端面から後側棚受部までの前後方向に沿う寸法
Ｄ４            側板の前端面から後側棚受部までの前後方向に沿う寸法
【図１】
2017209387.tif 000003
【図２】
2017209387.tif 000004
【図３】
2017209387.tif 000005
【図４】
2017209387.tif 000006
【図５】
2017209387.tif 000007